(57)【特許請求の範囲】
【請求項１】
上端を閉塞した内筒４下端部に下端部を連結して二重筒状に外筒５を起立した基部材２と、上記内筒４外周上端部に内周下端部を液密且つ摺動押下げ可能に嵌合させるとともに、内部を液収納室Ａに画成し、且つ、上端部に吐出口６を設けてなる液収納筒３とを備え、該液収納筒の押し下げにより収納液を加圧して吐出口６より吐出する如く構成した合成樹脂製の容器であって、内方への弾性反転が可能なつまみ９付きベンド板８を、外筒５の所定位置に上方より複数縦列して画成するとともに、内側に弾性反転された各ベンド板８により液収納筒３の押し下げ幅を規制してなることを特徴とする簡易分配容器。
【請求項２】
上記内筒４を、頂板部24に通気孔25を設けた固定内筒4aと、該固定内筒4a外周に上下動可能に嵌合させるとともに、外周上端部を液収納筒３内周下端部に液密摺動可能に嵌合させた上端閉塞の可動内筒4bとで構成し、上記吐出口６を液収納筒頂壁26に開口した液充填口12に装着したノズル７先端に開口してなる請求項１記載の簡易分配容器。
【請求項３】
上記液収納筒３外面と外筒５内面とを、上記各ベンド板８による液収納筒３の係止位置とそれぞれ連係する各位置において、凹凸係合手段Ｂを介してそれぞれ係止可能に構成してなる請求項１又は請求項２のいずれかに記載の簡易分配容器。
【請求項４】
上記凹凸係合手段Ｂが、液収納筒３下端部に内外揺動可能に画成した揺動板部19外面に設けた係合突起20と、上記各ベンド板８による液収納筒３の係止位置と連係する外筒５内面所定位置に縦列した係合孔21とで構成した凹凸係合手段である請求項３記載の簡易分配容器。
【発明の詳細な説明】
【０００１】
【発明の属する技術分野】
本発明は簡易分配容器に関する。
【０００２】
【従来の技術】
例えば、比較的粘度の高いクリーム状の液体等を宣伝用の試供品として配布する容器は、その性質上、簡易で安価に製造できるものが要求される場合が多い。従って、例えば、上端を開口した有底筒状の本体と、該本体上端開口を閉塞して着脱可能に設けた伏皿状の蓋体とからなる様な極単純な形のものが使用されている。
【０００３】
しかしながら、内容物が定量且つ複数回に分けて使用するものである場合には、この様な容器は不向きであり、一回分を収納した極めて小さい容器を複数用意しなければならない。従って、この種の容器を一回分に小型化すれば要は足りるように思われるが、今度は容器が小さい分取り扱い難いという欠点が生じる。
【０００４】
【発明が解決しようとする課題】
本発明は上記した点に鑑みなされたもので、定量且つ複数回に分けて使用する内容物を一回ずつ分取でき、しかも極めて簡単な操作により行うことができるとともに、構造も簡単で、安価に製造できるという簡易な容器としての要求を充分満足できる簡易分配容器を提案するものである。
【０００５】
【課題を解決するための手段】
本請求項１発明の容器は上記課題を解決するため、上端を閉塞した内筒４下端部に下端部を連結して二重筒状に外筒５を起立した基部材２と、上記内筒４外周上端部に内周下端部を液密且つ摺動押下げ可能に嵌合させるとともに、内部を液収納室Ａに画成し、且つ、上端部に吐出口６を設けてなる液収納筒３とを備え、該液収納筒の押し下げにより収納液を加圧して吐出口６より吐出する如く構成した合成樹脂製の容器であって、内方への弾性反転が可能なつまみ９付きベンド板８を、外筒５の所定位置に上方より複数縦列して画成するとともに、内側に弾性反転された各ベンド板８により液収納筒３の押し下げ幅を規制してなることを特徴とする簡易分配容器として構成した。
【０００６】
また、請求項２発明の容器は、上記内筒４を、頂板部24に通気孔25を設けた固定内筒4aと、該固定内筒4a外周に上下動可能に嵌合させるとともに、外周上端部を液収納筒３内周下端部に液密摺動可能に嵌合させた上端閉塞の可動内筒4bとで構成し、上記吐出口６を液収納筒頂壁26に開口した液充填口12に装着したノズル７先端に開口してなる請求項１記載の簡易分配容器として構成した。
【０００７】
また、請求項３発明の容器は、上記液収納筒３外面と外筒５内面とを、上記各ベンド板８による液収納筒３の係止位置とそれぞれ連係する各位置において、凹凸係合手段Ｂを介してそれぞれ係止可能に構成してなる請求項１又は請求項２のいずれかに記載の簡易分配容器として構成した。
【０００８】
また、請求項４発明の容器は、上記凹凸係合手段Ｂが、液収納筒３下端部に内外揺動可能に画成した揺動板部19外面に設けた係合突起20と、上記各ベンド板８による液収納筒３の係止位置と連係する外筒５内面所定位置に縦列した係合孔21とで構成した凹凸係合手段である請求項３記載の簡易分配容器として構成した。
【０００９】
【発明の実施の形態】
以下、本発明の実施の形態を図面を参照して説明する。
【００１０】
図面に示す如く、本発明の簡易分配容器１は、基部材２と、液収納筒３とを備えている。
【００１１】
基部材２は合成樹脂により形成されたもので、上端を閉塞した内筒４下端部に下端部を連結して二重筒状に外筒５を起立して構成している。上記内筒４は、図１の実施例の如く固定された単層のものであっても良いが、図７の実施例の如き、固定内筒4aと可動内筒4bとからなる複層のものであっても良い。
【００１２】
液収納筒３も合成樹脂により形成されたもので、内筒４外周上端部に内周下端部を液密且つ摺動押し下げ可能に嵌合させるとともに、内部を液収納室Ａに画成し、且つ、上端部に吐出口６を設けている。そして、液収納筒３の押し下げにより液収納室Ａを減容して収納液を加圧し、吐出口６より噴出する如く構成している。吐出口６の形態は種々選択でき、図１の実施例の如く、側方へ一体に突設したノズル７の先端を吐出口６としても、或いは、図７の実施例の如く、別体として形成したノズル７の先端を吐出口６として構成しても良く、或いは、図示しないが、液収納筒３の頂壁に上方へ向けて吐出口を開口しても良い。
【００１３】
本発明では、液収納筒３の押下げ幅を規制する目的で、外筒５に複数のベンド板８を画成している。該ベンド板８は外面につまみ９を備え且つ内方への弾性反転が可能なもので、外筒５の所定位置に上方より複数縦列して画成するとともに、内側に弾性反転した状態で液収納筒３の下端を係止する如く構成している。従って、内方へ弾性反転したベンド板８のうち最上部に位置するベンド板に下面が当接するまで液収納筒３の押下げが可能となる。
【００１４】
また、本発明では液収納筒３外面と外筒５の内面とを、上記各ベンド板８による液収納筒３の係止位置とそれぞれ連係する各位置において、凹凸係合手段Ｂを介してそれぞれ係止可能に構成している。この凹凸係合手段Ｂを設ける事により、液収納筒３の各係止位置において、上方への不用意な抜け出しを防止している。この凹凸係合手段Ｂの具体的構成としては、突起と該突起が嵌合する凹部との組み合わせ、或いは突起と該突起が乗越え係合する突起との組み合わせ等が採用できる。
【００１５】
図１に示す実施例では、円筒状の内筒４下端縁より外方へフランジ10を延設するとともに、フランジ10外周縁より上方へ円筒状の外筒５を立設している。内筒４の上端縁より延設した頂板11の中央部に液充填口12を穿設し、該充填口12を栓13により液密に閉塞している。また、内筒４の上端にはより良好な液密性と摺動性を得るために、上向きのスカート部14を形成している。
【００１６】
また、外筒５の上部所定位置には、平行に一対の切溝15を設け且つ両側を薄肉のヒンジ16に形成することにより画成された最上部のベンド板8aが設けられており、このベンド板8aを内方へ反転させることにより、図４に示す如く、液収納筒３の下面に当接係止させる如く構成している。この最上部のベンド板8a下方に所定間隔をあけて同様のベンド板８を順次画成している。各ベンド板８は図１に示す如く平面視が円弧状をなす板状で、その外面にはベンド板８の外方への弾性反転を行うために板状のつまみ９をそれぞれ一体に突設している。
【００１７】
液収納筒３は、下端部をやや大径に形成した上端閉塞の円筒状をなし、下端の大径部3a外周に突設した係合突条17を外筒５内周上端に突設した係合突条18に係合させて上方への抜け出しを防止し、また、大径部3a以外の筒壁下端部内周に内筒４上端部のスカート部14を嵌合させて液密且つ押下げ可能に設けている。
【００１８】
また、液収納筒３下端部に内外揺動可能に画成した揺動板部19を設けるとともに、該揺動板部19の外面に横長な係合突起20を突設し、また、上記各ベンド板８による液収納筒３の各係止位置と連係する外筒５内面所定位置に係合突起20が抜け出し可能に嵌合する係合孔21を設けている。図示例においては揺動板部19外面下部を突出させた突出部19a を設けるとともに、外筒５の対応所定位置に突出部19a が摺動する帯状の案内溝22を縦設しており、案内溝22内の筒壁に各係合孔21を穿設している。
【００１９】
従って、突出部19a と案内溝22により液収納筒３が基部材２に対して不都合な回動を行わずにまっすぐ下降する如く構成しており、また、係合突起20と嵌合孔21の存在で、液収納筒３がベンド板８に係止された状態で液収納筒３の上方への抜け出し防止を充分図れる一方、揺動板部19外面に係合突起20を設けているため、液収納筒３を押し下げる場合には係合孔21からの抜け出しが比較的容易に行える如く構成している。
【００２０】
尚、図中23は、ノズル７先端に着脱自在に嵌着したキャップを示す。
【００２１】
上記の如く構成した簡易分配容器１は、例えば図４の状態からキャップ23を外し、つまみ９を掴んで引き出すことにより最上部のベンド板8aを外方へ反転させ、次いで、液収納筒３を押下げると、液収納筒３は二番目のベンド板8b上面まで押下げられ、その際液収納室Ａ内の液が加圧されて吐出口６より略定量の液が吐出される。必要に応じて三番目のベンド板８を反転させ順次同様の操作を行える。
【００２２】
図７は頂板部24に通気孔25を設けた固定内筒4aと、固定内筒4a外周に上下動可能に嵌合させた上端閉塞の可動内筒4bとで、内筒４を構成した例を示す。本実施例では、円筒状の固定内筒4a下端縁より外方へフランジ10を延設するとともに、フランジ10外周縁より上方へ円筒状の外筒５を立設している。尚、上記通気孔25は可動内筒4bの上下動を容易ならしめるために設けている。また、可動内筒4bは、上端外周縁に上記実施例と同様のスカート部14を立設している。更に、可動内筒4bは図11に示す如く、液収納筒３内最上部まで上昇可能な大きさに形成すると良い。
【００２３】
液収納筒３は、その頂壁26に液充填口12を開口し、該液充填口12に別体として構成した合成樹脂製のノズル７を嵌着する如く構成しており、このノズル７の先端に吐出口６を開口している。その他の構成は実質的に図１の実施例と同様である。
【００２４】
この場合には、図11に示す如く、可動内筒4bを上昇させておいて、液収納筒３上端の液充填口12より液の充填を行えば、可動内筒4bを押し下げつつ充填できるため、効率の良い円滑な液の充填を行えるものである。また、液の吐出に関しては、図１の実施例と同様であるので説明を省略する。
【００２５】
【発明の効果】
以上説明した如く、本請求項１発明の簡易分配容器は、既述構成としたことにより、簡単な操作により収納液を複数回に分けて定量的に分取することができ、しかも、構造が簡単で安価に製造できる利点を兼ね備えている。
【００２６】
また、請求項２発明の容器は、ノズル７装着前の液収納筒３上端より固定内筒4aを上昇させた状態で液の充填を行えるため、効率良く円滑に液の充填を行える利点を兼ね備えている。
【００２７】
また、請求項３発明の容器は、ベンド板８による液収納筒３の係止位置とそれぞれ連係する各位置において液収納筒が係止されるため、液収納筒３の基部材２からの不用意な抜け出しを確実に防止するものである。
【００２８】
また、請求項４発明の容器は、液収納筒３に形成した揺動板部19に係合突起20を設けているので、係合突起20と係合孔21との係合強度が大きくても、比較的容易に係合孔21から係合突起20を外すことができ、円滑な液の吐出を行えるものである。
【図面の簡単な説明】
【図１】本発明の一実施例を示す縦断面図である。
【図２】図１のＶ−Ｖ線に沿う横断面図である。
【図３】同実施例の一部切欠正面図である。
【図４】同実施例の各ベンド板を閉じた状態の縦断面図である。
【図５】図４のＷ−Ｗ線に沿う横断面図である。
【図６】同実施例の分解斜視図である。
【図７】本発明の他の実施例を示す縦断面図である。
【図８】図７のＸ−Ｘ線に沿う横断面図である。
【図９】同実施例の各ベンド板を閉じた状態の縦断面図である。
【図１０】図９のＹ−Ｙ線に沿う横断面図である。
【図１１】同実施例の液充填時の状態を示す縦断面図である。
【図１２】図11のＺ−Ｚ線に沿う横断面図である。
【図１３】同実施例の分解斜視図である。
【符号の説明】
２…基部材、３…液収納筒、４…内筒、4a…固定内筒、4b…可動内筒、
５…外筒、６…吐出口、７…ノズル、８…ベンド板，９…つまみ、
12…液充填口、19…揺動板部、20…係合突起、21…係合孔、24…頂板部、
25…通気孔、26…頂壁、Ａ…液収納室、Ｂ…凹凸係合手段
【図１】
0004274346.tif 000002
【図２】
0004274346.tif 000003
【図３】
0004274346.tif 000004
【図４】
0004274346.tif 000005
【図５】
0004274346.tif 000006
【図６】
0004274346.tif 000007
【図７】
0004274346.tif 000008
【図８】
0004274346.tif 000009
【図９】
0004274346.tif 000010
【図１０】
0004274346.tif 000011
【図１１】
0004274346.tif 000012
【図１２】
0004274346.tif 000013
【図１３】
0004274346.tif 000014